(57)【特許請求の範囲】
【請求項１】
筒状のフード部を有する一方のコネクタハウジングと、
筒状の筒部と、該筒部内に収容され且つ端子金具を収容する本体部とを有する他方のコネクタハウジングと、を備え、
上方から前記他方のコネクタハウジングに近づけられた前記一方のコネクタハウジングの前記フード部が前記筒部内に挿入され、且つ、前記フード部内に前記他方のコネクタハウジングの前記本体部を位置付けて、前記一方のコネクタハウジングと前記他方のコネクタハウジングとが嵌合するコネクタにおいて、
前記他方のコネクタハウジングは、前記一方のコネクタハウジングの挿入方向先端側の端部に、前記筒部と前記本体部とを連結する連結部と、該連結部に隣接しているとともに前記筒部を貫通して前記本体部の外側で且つ前記筒部の内側の空間と前記筒部の外側とを連通する貫通孔とを有しており、
前記連結部の前記一方のコネクタハウジングと相対する面に、前記貫通孔に近づくにしたがって徐々に前記一方のコネクタハウジングの前記挿入方向に向かって傾斜する傾斜面が設けられ、
前記貫通孔から水などの液体が排出しきれずに前記連結部に溜まったとしても、前記フード部の先端部から該フード部と前記他方のコネクタハウジングの前記本体部との間に水などの液体が浸入することを防止するための空間として、
前記一方のコネクタハウジングと前記他方のコネクタハウジングとが嵌合した際に、前記フード部の先端と前記連結部とが互いに間隔をあけて形成された空間が設けられていることを特徴とするコネクタ。
【発明の詳細な説明】
【技術分野】
【０００１】
本発明は、電線の接続等に使用されるコネクタに関し、特に内部に浸入した水を排出する排水手段を有したコネクタに関する。
【背景技術】
【０００２】
移動体としての自動車には、多種多様な電子機器が搭載されている。このため、前記自動車は、前記電子機器に電力や制御信号などを伝送するために、ワイヤハーネスを配索している。これらの電子機器とワイヤハーネスとは、それぞれが備えたコネクタ同士が嵌合することにより接続されている。
【０００３】
コネクタは、コネクタハウジングと、該コネクタハウジングに収容される端子金具とを備えている。コネクタ同士が嵌合すると、それぞれのコネクタハウジング内の端子金具同士が電気的に接続する。
【０００４】
前述したコネクタは、例えば、エンジンルーム内などの通常は水を被らないとされる箇所等に用いられるコネクタとして、簡易防水コネクタ（特許文献１参照。）が提案されている。この簡易防水コネクタは、雄コネクタハウジング（以下、雄ハウジングと呼ぶ）と、雄ハウジングと嵌合する雌コネクタハウジング（以下、雌ハウジングと呼ぶ）とを備えている。
【０００５】
雄ハウジングは、雄型の端子金具を収容した端子収容部と、該端子収容部に連なる筒状の雄フード部とを備えている。雌ハウジングは、雌型の端子金具を収容した本体部と、この本体部の外側に該本体部と間隔をあけて設けられた筒状の雌フード部と、を備えている。そして、雌ハウジングの本体部が雄ハウジングの雄フード部内に収容され、且つ、雌ハウジングの雌フード部と本体部との間に雄ハウジングの雄フード部が挿入されて、雄ハウジングと雌ハウジングとが互いに嵌合する。
【０００６】
また、前述した簡易防水コネクタは、雌ハウジングの本体部の外面と雄ハウジングの雄フード部の内面との間に水などの液体が毛細管現象を生じることなく流下するように間隔をあけた流下間隙と、雄ハウジングの雄フード部の内側に浸入した水などの液体を外部に逃がすための水抜き孔とを備えている。
【０００７】
水抜き孔は、雄ハウジングの雄フード部の端子収容部側端部と、雌ハウジングの雌フード部の雄ハウジングから離れた側の端部とにそれぞれ複数設けられており、雄ハウジングの雄フード部を貫通して内外を連通しているとともに、雌ハウジングの雌フード部を貫通して、該雌フード部の内側で且つ本体部の外側の空間と雌ハウジングの外側とを連通している。
【０００８】
前述した構成の簡易防水コネクタは、結露の発生等によって雄ハウジングの雄フード部の内側に水などの液体が浸入しても、流下間隙を流れ落ちて水抜き孔から浸入した水などの液体を排出することで、端子金具等に水などの液体が付着することを防止している。
【特許文献１】特開平７−２２０７９８号公報
【発明の開示】
【発明が解決しようとする課題】
【０００９】
しかしながら、前述した簡易防水コネクタは、雌ハウジングの本体部の側面に、該本体部内に収容された雌端子が抜け出ることを規制するための規制部材が挿入される規制部材収容部を設けた場合、規制部材収容部から本体部内に水などの液体が浸入する虞があり、本体部内に浸入した水などの液体が端子金具に付着してしまうという問題があった。
【００１０】
したがって、本発明の目的は、端子金具を収容する本体部内に水などの液体が浸入することを防止して、端子金具等に水などの液体が付着することを防止するコネクタを提供することにある。
【課題を解決するための手段】
【００１１】
前記課題を解決し目的を達成するために、請求項１に記載された発明は、筒状のフード部を有する一方のコネクタハウジングと、筒状の筒部と、該筒部内に収容され且つ端子金具を収容する本体部とを有する他方のコネクタハウジングと、を備え、上方から前記他方のコネクタハウジングに近づけられた前記一方のコネクタハウジングの前記フード部が前記筒部内に挿入され、且つ、前記フード部内に前記他方のコネクタハウジングの前記本体部を位置付けて、前記一方のコネクタハウジングと前記他方のコネクタハウジングとが嵌合するコネクタにおいて、前記他方のコネクタハウジングは、前記一方のコネクタハウジングの挿入方向先端側の端部に、前記筒部と前記本体部とを連結する連結部と、該連結部に隣接しているとともに前記筒部を貫通して前記本体部の外側で且つ前記筒部の内側の空間と前記筒部の外側とを連通する貫通孔とを有しており、前記連結部の前記一方のコネクタハウジングと相対する面に、前記貫通孔に近づくにしたがって徐々に前記一方のコネクタハウジングの前記挿入方向に向かって傾斜する傾斜面が設けられ、前記貫通孔から水などの液体が排出しきれずに前記連結部に溜まったとしても、前記フード部の先端部から該フード部と前記他方のコネクタハウジングの前記本体部との間に水などの液体が浸入することを防止するための空間として、前記一方のコネクタハウジングと前記他方のコネクタハウジングとが嵌合した際に、前記フード部の先端と前記連結部とが互いに間隔をあけて形成された空間が設けられていることを特徴とするコネクタである。
【００１３】
請求項１に記載された発明によれば、他方のコネクタハウジングが、一方のコネクタハウジングの挿入方向先端側の端部に、筒部と本体部とを連結する連結部と、該連結部に隣接した筒部を貫通して本体部の外側で且つ筒部の内側の空間と該筒部の外側とを連通する貫通孔と、を有しているとともに、連結部の一方のコネクタハウジングと相対する面に、貫通孔に近づくにしたがって徐々に一方のコネクタハウジングの挿入方向に向かって傾斜する傾斜面が設けられているので、一方のコネクタハウジングのフード部と他方のコネクタハウジングの筒部との間から水などの液体が浸入した際に、貫通孔から外部にスムーズに排出することができる。
【００１４】
また、一方のコネクタハウジングと他方のコネクタハウジングとが嵌合した際に、フード部の先端と連結部とが互いに間隔をあけて形成された空間が設けられているので、一方のコネクタハウジングのフード部と他方のコネクタハウジングの筒部との間に浸入した水などの液体が貫通孔から排出しきれずに連結部に溜まっても、フード部の先端部から該フード部と他方のコネクタハウジングの本体部との間に水などの液体が浸入することを防ぐことができる。
【発明の効果】
【００１５】
以上説明したように、請求項１に記載の本発明は、一方のコネクタハウジングのフード部と他方のコネクタハウジングの筒部との間から水などの液体が浸入した際に、貫通孔から外部にスムーズに排出することができるので、一方のコネクタハウジングのフード部と他方のコネクタハウジングの本体部との間に水などの液体が浸入することを防ぐことができる。このため、端子金具を収容する本体部内に水などの液体が浸入することを防止して、端子金具等に水などの液体が付着することを防止することができる。
【００１６】
また、一方のコネクタハウジングのフード部と他方のコネクタハウジングの筒部との間に浸入した水などの液体が貫通孔から排出しきれずに連結部に溜まっても、フード部の先端部から該フード部と他方のコネクタハウジングの本体部との間に水などの液体が浸入することを防ぐことができるので、端子金具を収容する本体部内に水などの液体が浸入することを確実に防止することができる。このため、端子金具等に水などの液体が付着することを確実に防止することができる。
【発明を実施するための最良の形態】
【００１７】
以下、本発明の一実施形態にかかるコネクタを図１乃至図６を参照して説明する。本発明の一実施形態にかかるコネクタ１は、図１に示すように、雄コネクタハウジング（以下、雄ハウジングと呼ぶ）２と、雌コネクタハウジング（以下、雌ハウジングと呼ぶ）３と、を備えている。
【００１８】
なお、本実施形態において、雄ハウジング２は特許請求の範囲に記載の一方のコネクタハウジングに相当し、雌ハウジング３は他方のコネクタハウジングに相当する。
【００１９】
雄ハウジング２は、絶縁性の合成樹脂等で形成されており、図１に示すように、収容部１０と、該収容部１０に連なる筒状のフード部１５とを備えている。雄ハウジング２は、図２に示すように、内部にスイッチングユニット４を収容する。
【００２０】
スイッチングユニット４は、図６に示すように、ユニット本体４０と、該ユニット本体４０を包囲する樹脂封止体４５とを備えている。ユニット本体４０は、回路基板４１と、該回路基板４１に実装されたスイッチングデバイス４２と、回路基板４１に取り付けられ且つスイッチングデバイス４２と接続された接続端子４３とを有している。
【００２１】
回路基板４１は、絶縁性の合成樹脂からなる基板４１ａと、この基板４１ａの表面に形成された導体パターン（図示せず）とを有している。基板４１ａは、平面が矩形の平板状に形成されているとともに、当該基板４１ａを貫通して形成された貫通孔４１ｂが設けられている。基板４１ａには、スイッチングデバイス４２や図示しない各種の電子部品などが実装される。また、基板４１ａの表面の裏側の面には、接続端子４３の後述する端子本体部４３ａが重ねられる。
【００２２】
導体パターンは、銅などの導電性の金属からなり、箔（薄い膜）状に形成されて、基板４１ａの表面に貼り付けられている。導体パターンは、前述したスイッチングデバイス４２や電子部品などを相互に電気的に接続する予め定められたパターンにしたがって形成されている。
【００２３】
スイッチングデバイス４２は、電流のＯＮ／ＯＦＦを制御可能なものであって、本実施形態では、例えば、パワーＭＯＳＦＥＴ部と、過熱保護機能やＰＷＭ信号発振等を有する制御部と、をワンチップ上に配した半導体スイッチング素子を用いている。スイッチングデバイス４２は、回路基板４１の基板４１ａに設けられた貫通孔４１ｂを介して接続端子４３の端子本体部４３ａと電気的に接続されて、該回路基板４１に実装されている。
【００２４】
接続端子４３は、導電性の金属で構成されており、端子本体部４３ａと複数の雄タブ４３ｂとを一体に備えている。端子本体部４３ａは、平面が矩形の平板状に形成されている。端子本体部４３ａは、基板４１ａの導体パターンが形成された表面の裏側の面に重ねられて取り付けられている。
【００２５】
複数の雄タブ４３ｂは、それぞれ、直線状に延在した棒状に形成されている。複数の雄タブ４３ｂは、互いに間隔をあけて平行に配置されている。これら複数の雄タブ４３ｂは、雄ハウジング２と雌ハウジング３とが嵌合した際に、該雌ハウジング３の後述する端子収容室２６内に侵入して、該端子収容室２６内に収容された雌端子（図示せず）の電気接触部、即ち雌端子と電気的及び機械的に接続する。
【００２６】
樹脂封止体４５は、合成樹脂等で構成され且つ扁平な箱状に形成されている。樹脂封止体４５は、ユニット本体４０の回路基板４１、スイッチングデバイス４２、接続端子４３の端子本体部４３ａ及び各雄タブ４３ｂの端子本体部４３ａ寄りの基端部を、成形金型内に収容してモールド成型することで封止している。即ち、樹脂封止体４５は、回路基板４１とスイッチングデバイス４２と接続端子４３の端子本体部４３ａを被覆収容するとともに、接続端子４３の各雄タブ４３ｂを露出させて、ユニット本体４０を封止している。
【００２７】
収容部１０は、図２に示すように、有天筒状に形成されており、天井壁１１と、該天井壁１１の周縁に連なる周壁１２とを備えている。収容部１０は、内側に前述したスイッチングユニット４を収容する。また、収容部１０には、鍔部１４と、図示しないロック部とが設けられている。
【００２８】
鍔部１４は、収容部１０の周壁１２から外側に突設されているとともに、該周壁１２の外周に沿って形成されている。この鍔部１４は、雄及び雌ハウジング２，３同士が嵌合した際に、該雌ハウジング３の後述する筒部２０の上端部２０ａに当接する位置に配されている。ロック部は、雌ハウジング３の後述する筒部２０に設けられたロック受け部と嵌合して、雄ハウジング２と雌ハウジング３とを嵌合させる。
【００２９】
フード部１５は、収容部１０の周壁１２に連なって筒状に形成されている。フード部１５は、収容部１０から離れた側、即ち雌ハウジング３の後述する筒部２０内に挿入される挿入方向先端１６側が、当該フード部１５即ち雄ハウジング２の外表面に開口している。フード部１５は、内側に雌コネクタ３の後述する本体部２５を収容し且つ該雌コネクタ３の後述する筒部２０内に収容される。また、フード部１５には、ガイドリブ１７が設けられている。
【００３０】
ガイドリブ１７は、フード部１５の外表面から凸に複数設けられている。ガイドリブ１７は、前述した鍔部１４からフード部１５の先端１６に向かって直線状に延びた角柱状に形成されている。ガイドリブ１７は、フード部１５が雌ハウジング３の後述する筒部２０内に挿入される挿入方向、即ち雄ハウジング２と雌ハウジング３との嵌合方向に沿って延在している。
【００３１】
なお、嵌合方向とは、雄及び雌ハウジング２，３同士が嵌合する際に、雄ハウジング２と雌ハウジング３とが互いに近づく方向であるとともに、鉛直方向と平行である。また、嵌合方向は、図示例では、雄ハウジング２内に位置する前述したスイッチングユニット４の接続端子４３の雄タブ４３ｂの長手方向と、雌ハウジング３内に位置する後述する雌端子の長手方向と、これらの接続端子４３及び雌端子に取り付けられる電線の長手方向と、の全てと平行である。
【００３２】
雌ハウジング３は、絶縁性の合成樹脂等で形成されており、図１に示すように、外側に筒状に形成された筒部２０と、該筒部２０内に収容され且つ箱状に形成された本体部２５と、該本体部２５に取り付けられて当該本体部２５内から後述する雌端子が抜け出ることを規制する規制部材２８と、筒部２０と本体部２５とを連結する連結部３０とを備えている。
【００３３】
筒部２０は、図２又は図３に示すように、有底筒状に形成されており、底壁２１と、該底壁２１の周縁に連なる周壁２２とを備えている。筒部２０は、周壁２２の底壁２１から離れた側の上端部２０ａが、当該筒部２０即ち雌ハウジング３の外表面に開口している。筒部２０は、内部に本体部２５を収容するとともに、周壁２２の内面が本体部２５の外面と間隔をあけて配されている。筒部２０は、周壁２２の雌ハウジング３の外表面に開口する上端部２０ａ側から前述した雄ハウジング２のフード部１５が挿入される。
【００３４】
また、筒部２０には、内部に収容した本体部２５の外面の一部を露出するように、周壁２２の一部がＬ字状に切り欠かれて形成された開口部２３と、底壁２１を貫通して形成された複数の開口部２９と、が設けられている。開口部２３は、周壁２２の底壁２１側、即ち筒部２０の上端部２０ａと前述した嵌合方向に相対する下端部２０ｂ側に配置されている。開口部２３は、筒部２０の周壁２２を貫通して、本体部２５の外側で且つ筒部２０の内側の空間と該筒部２０の外側とを連通する。
【００３５】
複数の開口部２９は、本体部２５の端子収容室２６が並ぶ方向に沿って互いに間隔をあけて配されている。複数の開口部２９は、それぞれ、本体部２５の外側で且つ筒部２０の内側の空間と該筒部２０の外側とを連通する。そして、前述した複数の開口部２９は、特許請求の範囲に記載された貫通孔を成している。
【００３６】
さらに、筒部２０には、前述したロック部が嵌合する図示しないロック受け部と、前述したガイドリブ１７が侵入するガイド溝部２４とが設けられている。
【００３７】
ガイド溝部２４は、図３に示すように、筒部２０の周壁２２の内面から凹に複数設けられている。ガイド溝部２４は、筒部２０の周壁２２の上端部２０ａから下端部２０ｂに亘って設けられている。ガイド溝部２４は、筒部２０内に雄ハウジング２のフード部１５が挿入される挿入方向、即ち雄ハウジング２と雌ハウジング３との嵌合方向に沿って延在している。ガイド溝部２４は、内側に雄ハウジング２のガイドリブ１７が侵入して、雄ハウジング２と雌ハウジング３とを正しい向きで嵌合させる。
【００３８】
本体部２５は、箱状に形成されており、図３に示すように、内部に互いに並設された複数の端子収容室２６が設けられている。本体部２５は、各々の端子収容室２６に電線の端末に取り付けられた図示しない雌型の端子金具（以下、雌端子と呼ぶ）を収容する。また、本体部２５には、規制部材２８を収容する規制部材収容部２７が設けられている。
【００３９】
複数の端子収容室２６は、それぞれ、本体部２５内に設けられた直線状の空間であり、長手方向が雄及び雌ハウジング２，３同士の嵌合方向と平行に形成されている。複数の端子収容室２６は、それぞれ、長手方向の両端が本体部２５の外表面に開口している。複数の端子収容室２６は、互いに平行に配置されている。端子収容室２６の内面には、可撓性を有して雌端子と係止可能な係止ランス（図示せず）が設けられている。この係止ランスは、雌端子に係止して、端子収容室２６内から該雌端子が抜け出ることを規制する。
【００４０】
雌端子は、導電性の金属で構成され、複数設けられている。雌端子は、筒状の電気接触部と、該電気接触部に連なる電線接続部とを一体に備えている。電気接触部は、内側に前述した接続端子４３の雄タブ４３ｂが侵入して、該雄タブ４３ｂ即ち接続端子４３と電気的及び機械的に接続する。電線接続部は、電線（図示せず）が取り付けられて、該電線の芯線と電気的に接続する。そして、雌端子は、雄及び雌ハウジング２，３同士が嵌合した際に、電気接触部内に接続端子４３の雄タブ４３ｂが侵入して、電線と接続端子４３とを電気的に接続する。
【００４１】
規制部材収容部２７は、図１、図２及び図６に示すように、本体部２５の前述した筒部２０の開口部２３から露出した側面に設けられている。規制部材収容部２７は、本体部２５の外壁を貫通して端子収容室２６に連通するように形成されている。規制部材収容部２７は、平面形状が略矩形状に形成されるとともに、複数の端子収容室２６の並ぶ方向に沿って延在している。
【００４２】
規制部材２８は、絶縁性の合成樹脂等で形成されており、図２又は図６に示すように、略角柱状に形成されている。規制部材２８は、規制部材収容部２７内に侵入することで、本体部２５に取り付けられる。規制部材２８は、規制部材収容部２７内に収容されると、端子収容室２６内の雌端子を該端子収容室２６の内面に押圧して、雌端子が端子収容室２６内から抜け出ることを規制する。
【００４３】
連結部３０は、筒部２０の下端部２０ｂ側に設けられ且つ筒部２０の周壁２２の内面と本体部２５の外面とを連結している。連結部３０は、一対設けられており、本体部２５の端子収容室２６の並ぶ方向に相対する両側面と該両側面に相対する筒部２０の周壁２２の内面との間それぞれに配されている。一対の連結部３０は、それぞれ、前述した筒部２０の開口部２３に隣接して設けられている。
【００４４】
また、一対の連結部３０は、それぞれ、前述した互いに間隔をあけて並ぶ複数の開口部２９のうち両端に位置する各開口部２９ａ，２９ｂと隣接している。そして、一対の連結部３０には、それぞれ、複数のテーパ面３１，３２が設けられている。
【００４５】
複数のテーパ面３１，３２は、それぞれ、各連結部３０の雄ハウジング２と相対する面に設けられている。即ち、複数のテーパ面３１，３２は、それぞれ、筒部２０内に位置するように各連結部３０に設けられている。一方のテーパ面３１は、連結部３０の前述した開口部２９側に設けられているとともに、該開口部２９に近づくにしたがって徐々に筒部２０の外側に向かって傾斜している。即ち、一方のテーパ面３１は、開口部２９に近づくにしたがって徐々に雄ハウジング２のフード部１５の挿入方向に向かって傾斜している。
【００４６】
他方のテーパ面３２は、連結部３０の前述した開口部２３側に設けられているとともに、該開口部２３に近づくにしたがって徐々に筒部２０の外側に向かって傾斜している。即ち、他方のテーパ面３２は、開口部２３に近づくにしたがって徐々に雄ハウジング２のフード部１５の挿入方向に向かって傾斜している。そして、これら複数のテーパ面３１，３２は、特許請求の範囲に記載された傾斜面を成している。
【００４７】
前述した構成のコネクタ１を組み立てる際には、まず、雄ハウジング２の収容部１０内に電線付きのスイッチングユニット４を収容する。そして、雌ハウジング３の本体部２５の端子収容室２６内に電線付の雌端子を収容する。このとき、端子収容室２６内に設けられた係止ランスが雌端子に係止して、該雌端子が端子収容室２６内から抜け出ることを規制する。
【００４８】
さらに、図１又は図２に示すように、雌端子が収容された本体部２５の規制部材収容部２７内に規制部材２８を挿入して該本体部２５に取り付ける。すると、規制部材２８が端子収容室２６内の雌端子を該端子収容室２６の内面に押圧して、該雌端子が端子収容室２６内から抜け出ることを規制する。即ち、端子収容室２６内に収容された雌端子は、前述した係止ランスと前記規制部材２８との双方によって、端子収容室２６内に係止される。
【００４９】
次に、雄ハウジング２が上方で且つ雌ハウジング３が下方に位置するように、これらの雄ハウジング２と雌ハウジング３とを鉛直方向に相対させる。そして、上方から雄ハウジング２を雌ハウジング３に近づけていき、雄ハウジング２のフード部１５に設けられたガイドリブ１７が雌ハウジング３の筒部２０の周壁２２の内面に設けられたガイド溝部２４内に侵入するとともに、雌ハウジング３の筒部２０と本体部２５との間に雄ハウジング２のフード部１５を挿入する。
【００５０】
さらに雄ハウジング２を雌ハウジング３に近づけていくと、図４又は図５に示すように、雄ハウジング２の収容部１０の周壁１２から突設された鍔部１４が雌ハウジング３の筒部２０の上端部２０ａに当接するとともに、雄ハウジング２の収容部１０に設けられた図示しないロック部が雌ハウジング３の筒部２０に設けられたロック受け部（図示せず）と嵌合する。
【００５１】
このとき、雄ハウジング２の収容部１０内に収容されたスイッチングユニット４の接続端子４３の雄タブ４３ｂが、雌ハウジング３の端子収容室２６内に収容された雌端子の電気接触部内に侵入して、接続端子４３及び雌端子が電気的及び機械的に接続する。こうして、雄ハウジング２と雌ハウジング３とが嵌合して、コネクタ１が組み立てられる。
【００５２】
前述のように雄ハウジング２と雌ハウジング３とが嵌合すると、雄ハウジング２のフード部１５は、内部に雌ハウジング３の本体部２５を位置付ける。また、図５又は図６に示すように、雄ハウジング２のフード部１５の先端１６は、雌ハウジング３の筒部２０の底壁２１と間隔をあけた状態で、該筒部２０と本体部２５との間に位置付けられて、これらの先端１６と底壁２１と間に空間Ｓが形成される。即ち、フード部１５の先端１６は、筒部２０の下端部２０ｂ側に設けられた一対の連結部３０と間隔をあけるとともに、これらの先端１６と一対の連結部３０と間に空間Ｓが形成される。
【００５３】
本実施形態によれば、雌ハウジング３が、該雌ハウジング３の筒部２０の雄ハウジング２のフード部１５の挿入方向の先端１６側に位置する下端部２０ｂに、当該筒部２０と本体部２５とを連結する連結部３０と、該連結部３０に隣接した筒部２０を貫通して本体部２５の外側で且つ筒部２０の内側の空間と該筒部２０の外側とを連通する開口部２３，２９と、を有しているとともに、連結部３０の雄ハウジング２と相対する面に、開口部２３又は開口部２９に近づくにしたがって徐々に雄ハウジング２のフード部１５の挿入方向に向かって傾斜するテーパ面３１，３２が設けられている。
【００５４】
このため、雄ハウジング２のフード部１５と雌ハウジング３の筒部２０との間から水などの液体が浸入した際に、開口部２３，２９から外部にスムーズに排出することができるので、雄ハウジング２のフード部１５と雌ハウジング３の本体部２５との間に水などの液体が浸入することを防ぐことができる。したがって、接続端子４３の雄タブ４３ｂと接続された雌端子を収容する本体部２５内に水などの液体が浸入することを防止して、接続端子４３の雄タブ４３や雌端子等に水などの液体が付着することを防止することができる。
【００５５】
また、雄ハウジング２と雌ハウジング３とが嵌合した際に、該雄ハウジング２のフード部１５の先端１６と雌ハウジング３の連結部３０とが互いに間隔をあけて形成された空間Ｓが設けられている。
【００５６】
このため、雄ハウジング２のフード部１５と雌ハウジング３の筒部２０との間に浸入した水などの液体が開口部２３，２９から排出しきれずに連結部３０に溜まっても、フード部１５の先端１６から該フード部１５と雌ハウジング３の本体部２５との間に水などの液体が浸入することを防ぐことができるので、接続端子４３の雄タブ４３ｂと接続された雌端子を収容する本体部２５内に水などの液体が浸入することを確実に防止することができる。したがって、接続端子４３の雄タブ４３や雌端子等に水などの液体が付着することを確実に防止することができる。
【００５７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５８】
【図１】本発明の一実施形態にかかるコネクタを示す側面図である。
【図２】図１に示されたコネクタの雄ハウジング及び雌ハウジングの断面を示す説明図である。
【図３】図１に示されたコネクタの雌ハウジングを上方から見た平面図である。
【図４】図１に示されたコネクタの雄ハウジングと雌ハウジングとが嵌合した状態を示す側面図である。
【図５】図４に示された雄ハウジング及び雌ハウジングの断面を示す説明図である。
【図６】図５中のＶＩ−ＶＩ線に沿う断面図である。
【符号の説明】
【００５９】
１      コネクタ
２      雄コネクタハウジング（一方のコネクタハウジング）
３      雌コネクタハウジング（他方のコネクタハウジング）
１５    フード部
１６    先端
２０    筒部
２０ａ  上端部
２０ｂ  下端部（端部）
２５    本体部
２９    開口部（貫通孔）
３０    連結部
３１    一方のテーパ面（傾斜面）
３２    他方のテーパ面（傾斜面）
Ｓ      空間
【図１】
0005390091.tif 000002
【図２】
0005390091.tif 000003
【図３】
0005390091.tif 000004
【図４】
0005390091.tif 000005
【図５】
0005390091.tif 000006
【図６】
0005390091.tif 000007